(57)【要約】      （修正有）【課題】水害を被った紙による資料の修復作業に先立って、酸素に触れない状態で保存する作業において、電力その他のエネルギーを不要とし、人力のみで簡易に実行できる資料保存用具を提供する。【解決手段】開口を密封封止されるガスバリア性フィルムで成形された袋体を有し、その袋体内に、鉄粉を主成分とした材料を、通気性を有する包材でパックした脱酸素剤を投入収容してある。脱酸素剤には、袋体内の酸素の含有度を色彩変化で目視可能とした検知剤を付設する。【選択図】図１
0003175200.tif 000002
【実用新案登録請求の範囲】
【請求項１】
開口を密封封止されるガスバリア性フィルムで成形された袋体を有し、その袋体内に、鉄粉を主成分とした材料を、通気性を有する包材でパックした脱酸素剤を投入収容してあることを特徴とする資料保存用具。
【請求項２】
前記した脱酸素剤には、袋体内の酸素の含有度を色彩変化で目視可能とした検知剤を付設してあることを特徴とする請求項１に記載の資料保存用具。
【請求項３】
前記した脱酸素剤は、袋体の開口縁近傍あるいは下縁隅に配備されていることを特徴とする請求項１または請求項２に記載の資料保存用具。
【請求項４】
前記した袋体の開口の密封封止は、袋体の開口縁の外面に沿って走行させ、袋体から離脱するスライダーによって止着される断面略Ｃ字状の凹溝と、その凹溝に対応して嵌着される突条から成るチャックを複数列並行して形成してあることを特徴とする請求項１から３のうち１つに記載の資料保存用具。
【考案の詳細な説明】
【技術分野】
【０００１】
本考案は資料保存用具、特に紙を媒体とした書籍や文書等の資料の保存用として用いられ、主として津波や洪水等の水災害を被った資料を修復作業に先立って、迅速に保存しておくための資料保存用具に関する。
【背景技術】
【０００２】
現在、水害をはじめ、害虫等による被害を受けた資料の修復技術は高度で精巧に確立している。しかし、特に水害の場合、その修復作業は遅くとも４８〜７２時間以内に実行しなければ、その修復度合が良好とならないことが判明している。
【０００３】
特に、被水した紙媒体資料上のカビの発生は事前に抑制しなければ、修復作業に非常に大きな悪影響を与えてしまう。そのため、カビの発生を抑えるため、ガスバリア性のフィルム材によって成形された袋体内に脱酸素剤とともに資料を収容し、その袋口を密に封止しておくことが考えられ、この袋口の密封封止はヒートシールにより融着することが望ましい。
【０００４】
しかしながら、現実として、水害が発生した被災現場での電気の使用は難しく、ヒートシールを行うことは不可能であり、また、ハンディタイプのシーラーを用いるとしても、習熟していない者にとって、完全に袋口をシール密封封止する作業は困難である。
【先行技術文献】
【特許文献】
【０００５】
出願人は、本願考案に関し、先行する技術文献を調査したが、本考案と関連し、類似すると思われる文献は発見できなかった。
【考案の概要】
【考案が解決しようとする課題】
【０００６】
本考案が解決しようとする問題点は、従来、特に、水害を被った紙による資料を、その修復作業に先立って、酸素に触れない状態で保存し、しかも、その保存作業が電力その他のエネルギーを不要とし、人力のみで簡易に実行できるという資料保存用具が存在していなかったという点である。
【課題を解決するための手段】
【０００７】
上記した問題点を解決するために、本考案に係る資料保存用具は、開口を密封封止されるガスバリア性フィルムで成形された袋体を有し、その袋体内に、鉄粉を主成分とした材料を、通気性を有する包材でパックした脱酸素剤を投入収容してあることを特徴としている。
【０００８】
また、本考案に係る資料保存用具は、前記した脱酸素剤には、袋体内の酸素の含有度を色彩変化で目視可能とした検知剤を付設してあることを特徴としている。
【０００９】
さらに、本考案に係る資料保存用具は、前記した脱酸素剤は、袋体の開口縁近傍あるいは下縁隅に配備されていることを特徴としている。
【００１０】
そして、本考案に係る資料保存用具は、前記した袋体の開口の密封封止は、袋体の開口縁の外面に沿って走行させ、袋体から離脱するスライダーによって止着される断面略Ｃ字状の凹溝と、その凹溝に対応して嵌着される突条から成るチャックを複数列並行して形成してあることを特徴としている。
【考案の効果】
【００１１】
本考案に係る資料保存用具は上記のように構成されている。そのため、本考案を実施した袋体内に収容された資料は外気から隔離され、加えて、袋体内の酸素は脱酸素剤によって吸収され、酸素含有率が０．１％以下の無酸素状態となるので、劣化することもなく、カビの繁殖も抑制されるので、良好な状態で時間がある程度経過しても修復作業を実行できる。また、価格も低廉なものとして需要者に供給できる。
【００１２】
さらに、袋体の開口は複数のチャックでスライダーを閉じて密封封止されるので、気密状態は確実に維持され、その密封封止に電気等のエネルギーは不要となり、被災現場でも実行が可能となる。
【図面の簡単な説明】
【００１３】
【図１】本考案を実施した袋体の正面図である。
【図２】スライダーとチャックを示す部分拡大図である。
【図３】チャックの拡大断面図である。
【図４】スライダーの拡大図である。
【考案を実施するための形態】
【００１４】
図面として示し、実施例で説明したように構成したことで実現した。
【実施例１】
【００１５】
次に、本考案の好ましい実施の一例を図面を参照して説明する。図中１は精度の高いガスバリアフィルムで成形された袋体（株式会社愛知商会製）である。この素材フィルムは２軸延伸加工したナイロンフィルムで、具体的には三菱樹脂株式会社製のスーパーニール（商品名）を使用している。このフィルムは酸素、その他のガスや水分を極めて透過し難く、また、延伸加工で強靭なものとしてあり、鋭利な針等で突いても孔を穿つことは困難なものとなっている。
【００１６】
この袋体１は全体として矩形状のものを想定しているが、この形状に限定されるものではなく、サイズ寸法も特定するものでもなく、その一縁が開口２とされている。この開口２の縁はやや肉厚の構成とされ、そこに、三列のチャック３ａ、３ｂ、３ｃが並列して形成されている。
【００１７】
このチャック３ａ、３ｂ、３ｃが形成される開口２の肉厚は前面側と後面側で変更してあり、一方側は開口縁から内部にかけて徐々に厚くし、他方は逆に縁から内部にかけて徐々に薄く構成してある。徐々に肉厚を厚くしてある側には、一定の間隔を置いて三本の受け用となる、断面略Ｃ字状とした凹溝４ａ、４ｂ、４ｃが一体に形成され、他方側には、その凹溝４ａ、４ｂ、４ｃに嵌着して止着される突条５ａ、５ｂ、５ｃが一体に形成されている。チャック３ａ、３ｂ、３ｃは本実施例では三列としたが、その数に特定されるものではなく、二列あるいは三列以上でもよい。
【００１８】
このチャック３ａ、３ｂ、３ｃは、袋体１の開口２の両縁を挟んで滑走させるスライダー６により止着がなされる。このスライダー６は全体として略下向きＵ字状の形状をしており、袋体１のチャック３ａ、３ｂ、３ｃが形成される位置の肉厚に適合させ、擦り押圧部７ｂ、７ｃの突出度合を変化させてある。
【００１９】
また、前記した袋体１内には保存する資料とともに脱酸素剤を収容しておくこととなる。この脱酸素剤は鉄粉を主成分とする材料を、通気性を有する包材でパックしたもので、具体的には三菱ガス化学株式会社製のエージレス（商品名）を使用する。この脱酸素剤は密封された袋体１内の残留空気から酸素を吸着除去して、０．１％以下の無酸素状態とする。この無酸素状態とすることで資料の劣化を防止するとともに、カビ等の微生物の繁殖も抑制することができる。
【００２０】
この脱酸素剤は単に袋体１内に投入して収容してもよいが、下端寄りに形成した内部ポケット８、８に収容したり、あるいは接着テープ等で袋体１の内面に貼着したり、吊持させたりすることもできる。
【００２１】
さらに、この脱酸素剤の収容に際して、酸素の有無の状態を色彩によって視覚的に確認することができる検知剤を付設しておく。この検知剤はペレット状をしており、酸素が０．５％以上ある場合はブルーとなっており、０．１％以下となるとピンクとなってその状態を示す。０．５％と０．１％の中間ではブルーとピンクの中間色となり、その濃度によっていずれかの色調が強くなる。具体的には三菱ガス化学株式会社製のエージレスアイ（商品名）を使用する。
【００２２】
本実施例に係る資料保存用具は上記のように構成されている。そのため、考案の効果で述べた利点に加え、誰もが容易に取り扱うことができ、チャックを複数列存在させてあり、複数列のチャックは最内側の凹溝形成位置を最も肉厚としてあるので密封封止が完璧となり、カビ等の発生を抑制するので、作業者がそのカビ等を吸引してしまう人体被害も未然に防止することができる。
【産業上の利用可能性】
【００２３】
本考案に係る資料保存用具は、上記のように構成されている。この実施例では保存対象とする資料として紙製のものを想定しているが、これに限らず美術品、工芸品、骨董品をはじめ、レコードや録音、録画済のテープ、撮影、撮像済のフィルム等々の資料に対しても実施することが可能である。
【符号の説明】
【００２４】
１    袋体
２    開口
３ａ  チャック
３ｂ  チャック
３ｃ  チャック
４ａ  凹溝
４ｂ  凹溝
４ｃ  凹溝
５ａ  突条
５ｂ  突条
５ｂ  突条
６    スライダー
７ｂ  擦り押圧部
７ｃ  擦り押圧部
８    内部ポケット
【図１】
0003175200.tif 000003
【図２】
0003175200.tif 000004
【図３】
0003175200.tif 000005
【図４】
0003175200.tif 000006